(57)【特許請求の範囲】
【請求項１】
室内の空気と熱交換を行う室内機を備えた空気調和装置において、
前記室内機は、複数の金型を組み合わせて成形される樹脂成型品のケーシングに形成されたドレン排水流路を備え、該ドレン排水流路は、ドレンを案内する第１の案内部と、該第１の案内部から落下したドレンを受け入れて下流に案内する第２の案内部とを備え、
前記第１の案内部の下流端には、略鉛直下方に突出する突起が設けられ、
前記樹脂成形品の金型の組み合せ部に生じる型割線が前記突起の先端から前記第２の案内部側へ延びることを特徴とする空気調和装置。
【請求項２】
室内の空気と熱交換を行う室内機を備えた空気調和装置において、
前記室内機は、複数の金型を組み合わせて成形される樹脂成型品のケーシングに形成されたドレン排水流路を備え、該ドレン排水流路は、ドレンを案内する第１の案内部と、該第１の案内部から落下したドレンを受け入れて下流に案内する第２の案内部とを備え、
前記樹脂成形品の金型の組み合せ部に生じる型割線が前記第１の案内部の先端よりも鉛直下方において延在していることを特徴とする空気調和装置。
【請求項３】
室内の空気と熱交換を行う室内機を備えた空気調和装置において、
前記室内機は、複数の金型を組み合わせて成形される樹脂成型品のケーシングに形成されたドレン排水流路を備え、該ドレン排水流路は、ドレンを案内する第１の案内部と、該第１の案内部から落下したドレンを受け入れて下流に案内する第２の案内部とを備え、
前記樹脂成形品の金型の組み合せ部に生じる型割線が前記第１の案内部側から前記第２の案内部側に延び、
前記第２の案内部には、前記第１の案内部に対向する位置に、前記型割線よりも上方に延びる突出壁を備えたことを特徴とする空気調和装置。
【発明の詳細な説明】
【技術分野】
【０００１】
本発明は、空気調和装置に関し、特に室内機内部に設けられたドレン排水流路の構造に関する。
【背景技術】
【０００２】
空気調和装置は、一般的に、室内の空気を冷媒により加熱または冷却して空気調和を行う装置である。図３は家庭用の空気調和装置の全体構成を示す概略図である。図において、符号１は室内に取り付ける室内機であり、符号２は室外に設置される室外機である。これら室内機１と室外機２とは、接続配管３によって冷媒が循環されることにより、空調を実現するようになっている。
【０００３】
図４に室内機１の前面パネルを省略した図を示した。室内機１は内部に熱交換器５を備える。冷房運転時には、熱交換器５内部を流動する低温の冷媒により室内の空気が冷却され、室内気の空気調和が行われる。熱交換器５表面では室内気に含まれる水分が凝縮するため、熱交換器５の一端Ａ部にはこの凝縮水を外部に排水するドレン排水流路が設けられている。
図５にドレン排水流路１０を拡大して示した。不図示の熱交換器５より落下した凝縮水は、矢印で示したようにドレンガイド１１に案内され、ドレンガイド１２上に落下する。さらにドレンパン１３上に落下し、不図示の排水管により室外へ導かれて排水される。ドレン排水流路１０を形成する室内機１のケーシングは一般に樹脂成型品であり、複数の金型を組み合わせた成形金型により成形される。この金型と金型との合せ部である型割線１５がドレンガイド１１の延長線に沿って位置している。
【特許文献１】特開２００３−２５４５５２号公報
【発明の開示】
【発明が解決しようとする課題】
【０００４】
このように構成された空気調和装置の室内機では、型割線１５の位置でケーシングに樹脂成形時にバリが張りやすく、バリが張った場合に凝縮水がドレンガイド１１から型割線１５のバリに沿って流れ、ドレンガイド１２上に落下せずに所定の領域以外へ溢れる場合があった。
【０００５】
本発明は上記事情に鑑みてなされたものであり、ドレンの排水を確実に実施することができる空気調和装置を提供することを目的とする。
【課題を解決するための手段】
【０００６】
請求項１に記載の発明は、室内の空気と熱交換を行う室内機を備えた空気調和装置において、前記室内機は、複数の金型を組み合わせて成形される樹脂成型品のケーシングに形成されたドレン排水流路を備え、該ドレン排水流路は、ドレンを案内する第１の案内部と、該第１の案内部から落下したドレンを受け入れて下流に案内する第２の案内部とを備え、前記第１の案内部の下流端には、略鉛直下方に突出する突起が設けられ、前記樹脂成形品の金型の組み合せ部に生じる型割線が前記突起の先端から前記第２の案内部側へ延びることを特徴とする。
【０００７】
本発明によれば、第１の案内部に突起が設けられていることにより、突起によって凝縮水が下方へ案内され、凝縮水の落下が促進される。これにより、凝縮水が型割線に沿って流れることが抑制される。
【０００８】
請求項２に記載の発明は、室内の空気と熱交換を行う室内機を備えた空気調和装置において、前記室内機は、複数の金型を組み合わせて成形される樹脂成型品のケーシングに形成されたドレン排水流路を備え、該ドレン排水流路は、ドレンを案内する第１の案内部と、該第１の案内部から落下したドレンを受け入れて下流に案内する第２の案内部とを備え、前記樹脂成形品の金型の組み合せ部に生じる型割線が前記第１の案内部の先端よりも鉛直下方において延在していることを特徴とする。
【０００９】
本発明によれば型割線が第１の案内部の下流端よりも下方に位置しているため、第１の案内部により案内された凝縮水は第１の案内部の下流端で落下し、第２の案内部に落下しやすくなる。
【００１０】
請求項３に記載の発明は、室内の空気と熱交換を行う室内機を備えた空気調和装置において、前記室内機は、複数の金型を組み合わせて成形される樹脂成型品のケーシングに形成されたドレン排水流路を備え、該ドレン排水流路は、ドレンを案内する第１の案内部と、該第１の案内部から落下したドレンを受け入れて下流に案内する第２の案内部とを備え、前記樹脂成形品の金型の組み合せ部に生じる型割線が前記第１の案内部側から前記第２の案内部側に延び、前記第２の案内部には、前記第１の案内部に対向する位置に、前記型割線よりも上方に延びる突出壁を備えたことを特徴とする。
【００１１】
本発明によれば、第２の案内部に突出壁が設けられていることにより、型割線に沿って凝縮水が流れた場合でも、突出壁により凝縮水が堰き止められ、所定の領域以外に溢れることが防止される。
【発明の効果】
【００１２】
本発明によれば、凝縮水が型割線に沿って溢れることを防止することができるため、ドレンの排水を確実に実施することができる。
【発明を実施するための最良の形態】
【００１３】
次に、本発明に係る空気調和装置の一実施の形態を説明する。なお、全体構成は上記従来の空気調和装置と同様であり、説明を省略する。以下においては本発明に特徴的な個所のみ説明する。
図１は、本実施形態において特徴的なドレン排水流路を拡大して示した斜視図、図２は同ドレン排水流路の側面図である。本実施形態に係る空気調和装置が備えるドレン排水流路２０において、不図示の熱交換器より落下した凝縮水は、ドレンガイド（第１の案内部）２１に案内され、ドレンガイド（第２の案内部）２２上に落下する。さらにドレンガイド２２により案内され、下流側のドレンパン（図５の符号１３参照）上に落下し、不図示の排水管により室外へ導かれて排水される。
【００１４】
ドレン排水流路２０は前述した通り樹脂成形品であるケーシングによって構成されており、複数の成形金型の金型と金型との合せ部である型割線２５がドレンガイド２１側からドレンガイド２２側へ延在している。
ドレンガイド２１は下流のドレンガイド２２側に向けて下降する傾斜面を有し、その下流端２１ａには、略鉛直下方に突出する突起２１ｂが設けられている。型割線２５は、ドレンガイド２２の下流端２１ａよりも下方に位置し、突起２１ｂの下端から下流側のドレンガイド２２方向へ延在している。
ドレンガイド２２には、ドレンガイド２１に対向する位置に、型割線２５よりも上方に延びる突出壁２３が設けられている。突出壁２３はドレンガイド２１およびドレンガイド２２の下流側に向けて傾斜する傾斜面を備える。その下方基端部に型割線２５が位置している。
【００１５】
このように構成されている本実施形態の空気調和装置では、冷房運転時に不図示の熱交換器内部を流動する低温の冷媒により室内の空気が冷却され、室内気の空気調和が行われる。熱交換器表面では室内気に含まれる水分が凝縮し、ドレンガイド２１上に落下する。ドレンガイド２１の傾斜により、凝縮水は下流のドレンガイド２２側に向かって流れる。ドレンガイド２１の下流端には突起２１ｂが設けられているため、凝縮水は突起２１ｂに案内されてドレンガイド２１下流端から下方へ落ち、突起２１ｂ下方に位置するドレンガイド２２上により受け止められる。次いでドレンガイド２２上を下流側へ流れ、不図示のドレンパン上に落下し、不図示の排水管により室外へ導かれて排水される。
【００１６】
以上のように、本実施形態の空気調和装置によれば、型割線２５がドレンガイド２１の下流端２１ａよりも下方に位置しているため、型割線２５にバリが張っていたとしても、ドレンガイド２１により案内された凝縮水が型割線２５に沿って流れることが抑制され、ドレンガイド２２上に落下しやすくなる。
また、突起２１ｂが設けられていることにより、凝縮水が突起２１ｂによって下方へ案内されて、より凝縮水の落下が促進される。
さらに、突出壁２３が設けられていることにより、型割線２５に沿って凝縮水が流れた場合でも、突出壁２３により凝縮水が堰き止められ、ドレン排水流路２０以外の領域に溢れることが防止される。
【図面の簡単な説明】
【００１７】
【図１】本発明の一実施形態として示した空気調和装置が備えるドレン排水流路を拡大して示した斜視図である。
【図２】同ドレン排水流路の側面図である。
【図３】一般的な空気調和装置の全体構成を示した概略図である。
【図４】同空気調和装置の室内機であり、前面パネルを省略して示した斜視図である。
【図５】同室内機内部に設けられているドレン排水流路の拡大斜視図である。
【符号の説明】
【００１８】
２０  ドレン排水流路
２１  ドレンガイド（第１の案内部）
２２  ドレンガイド（第２の案内部）
２５  型割線
２１ａ  下流端
２１ｂ  突起
２３  突出壁
【図１】
0004699230.tif 000002
【図２】
0004699230.tif 000003
【図３】
0004699230.tif 000004
【図４】
0004699230.tif 000005
【図５】
0004699230.tif 000006